(57)【要約】【課題】危険物製造所とみなされない範囲で有機溶剤を貯蔵することによって危険物製造所の厳しい基準が適用されずに省スペース及び低コストで安全に貯蔵することのできる溶剤貯蔵装置を提供する。【解決手段】本発明の溶剤貯蔵装置１は、印刷機２０から発生する被処理ガスを溶剤回収装置３０で処理して回収された有機溶剤を貯蔵する装置であり、溶剤回収装置３０で回収された有機溶剤を消防法で定める危険物製造所とみなされない範囲で貯留する中間タンク２と、中間タンク２と配管６を介して接続されて中間タンク２に貯留された有機溶剤を移送して貯蔵する貯蔵タンク４と、貯蔵タンク４に貯蔵された有機溶剤を移送して消防法で定める危険物製造所とみなされない範囲で運搬容器に注入する容器注入部７とを備えていることを特徴とする。【選択図】図１
2012056580.tif 000002
【特許請求の範囲】
【請求項１】
印刷機から発生する被処理ガスを溶剤回収装置で処理して回収された有機溶剤を貯蔵する溶剤貯蔵装置であって、
前記溶剤回収装置で回収された有機溶剤を、消防法で定める危険物製造所とみなされない範囲で貯留する中間タンクと、
前記中間タンクに貯留された有機溶剤を移送して貯蔵する貯蔵タンクと、
前記貯蔵タンクに貯蔵された有機溶剤を移送して、消防法で定める危険物製造所とみなされない範囲で運搬容器に注入する容器注入部と
を備えていることを特徴とする溶剤貯蔵装置。
【請求項２】
前記貯蔵タンクは屋内に設置されていることを特徴とする請求項１に記載の溶剤貯蔵装置。
【請求項３】
前記中間タンクは２００リットル未満のタンクであることを特徴とする請求項１または請求項２に記載の溶剤貯蔵装置。
【請求項４】
前記貯蔵タンクに貯蔵された有機溶剤の液面を検出する液面センサと、
前記液面センサで検出された液面が指定量の液面になったときに、回収した有機溶剤を再利用する業者に連絡する通信手段と
を備えていることを特徴とする請求項１〜３のいずれか１項に記載の溶剤貯蔵装置。
【発明の詳細な説明】
【技術分野】
【０００１】
本発明は、印刷機から発生する被処理ガスを溶剤回収装置で処理して回収された有機溶剤を貯蔵する溶剤貯蔵装置に関する。
【背景技術】
【０００２】
近年、大気汚染に関する問題が深刻になってきているため、大気環境保全に関する法律が年々厳しくなってきている。特に、有機溶剤を大量に使用して放出しているグラビア印刷業界では、有機溶剤の排出量の削減が急務となっている。
【０００３】
ところが、グラビア印刷における有機溶剤排出の問題を解決する手段として、印刷時に発生する有機溶剤を含んだ被処理ガスを燃焼させる方法が考えられるが、有機溶剤を燃焼させる際に発生する二酸化炭素の排出が別の問題となっている。
【０００４】
そこで、有機溶剤及び二酸化炭素排出の問題を同時に解決する手段として、特許文献１に開示されている溶剤回収装置を設置して有機溶剤を回収する方法が注目されている。この方法によれば有機溶剤の排出量を大幅に削減することが可能となり、大気汚染防止法対策になるだけではなく、二酸化炭素の排出量の削減にもなる。さらに、枯渇資源であり価格が非常に高騰している有機溶剤を有効利用できるという観点からも、有機溶剤の回収は近年非常に関心が高まっている。
【０００５】
ここで、特許文献１に開示された溶剤回収装置では、印刷時に発生した有機溶剤を活性炭などの吸着剤で吸着・捕集し、捕集した有機溶剤を加熱した不活性ガスによって脱着し、冷却・液化して有機溶剤を回収している。
【先行技術文献】
【特許文献】
【０００６】
【特許文献１】特開２００９−１９５８２８号公報
【発明の概要】
【発明が解決しようとする課題】
【０００７】
しかしながら、上述した特許文献１に開示された溶剤回収装置では、回収されて装置から流出してきた有機溶剤を貯留する液化貯留部分を備えていた。このような液化貯留部分を備えていると、消防法では危険物製造所とみなされることが一般的であり、危険物製造所とみなされると、保安距離や保有空地を設定したり、製造所の構造や設備にも厳しい基準が設定されるので、スペースやコストが増加してしまうという問題点があった。
【０００８】
そこで、本発明は、上述した実情に鑑みて提案されたものであり、省スペース及び低コストで安全に有機溶剤を貯蔵することのできる溶剤貯蔵装置を提供することを目的とする。
【課題を解決するための手段】
【０００９】
上述した課題を解決するために、本発明に係る溶剤貯蔵装置は、印刷機から発生する被処理ガスを溶剤回収装置で処理して回収された有機溶剤を貯蔵する溶剤貯蔵装置であって、前記溶剤回収装置で回収された有機溶剤を、消防法で定める危険物製造所とみなされない範囲で貯留する中間タンクと、前記中間タンクに貯留された有機溶剤を移送して貯蔵する貯蔵タンクと、前記貯蔵タンクに貯蔵された有機溶剤を移送して、消防法で定める危険物製造所とみなされない範囲で運搬容器に注入する容器注入部とを備えていることを特徴とする。
【００１０】
また、本発明に係る溶剤貯蔵装置は、前記貯蔵タンクを屋内に設置していることを特徴とする。
【００１１】
さらに、本発明に係る溶剤貯蔵装置は、前記中間タンクを２００リットル未満のタンクとしたことを特徴とする。
【００１２】
また、本発明に係る溶剤貯蔵装置は、前記貯蔵タンクに貯蔵された有機溶剤の液面を検出する液面センサと、前記液面センサで検出された液面が指定量の液面になったときに、回収した有機溶剤を再利用する業者に連絡する通信手段とを備えていることを特徴とする。
【発明の効果】
【００１３】
本発明に係る溶剤貯蔵装置によれば、中間タンクと容器注入部を危険物製造所とみなされない範囲で構成したことにより、中間タンクと容器注入部は少量危険物取扱所とみなされて危険物製造所の厳しい基準が適用されないので、省スペース及び低コストを実現することができる。さらに、危険物製造所とみなされない範囲で少量だけ有機溶剤を貯蔵するので、有機溶剤を再利用するシステムを安全に構築することができる。
【図面の簡単な説明】
【００１４】
【図１】本発明を適用した実施形態に係る溶剤貯蔵装置の構成及び有機溶剤を再利用するシステムを説明するための図である。
【発明を実施するための形態】
【００１５】
以下、本発明を適用した実施形態について図面を参照して説明する。
【００１６】
［溶剤貯蔵装置の構成］
図１は本実施形態に係る溶剤貯蔵装置の構成及び有機溶剤を再利用するシステムを説明するための図である。
【００１７】
図１に示すように、本実施形態に係る溶剤貯蔵装置１は、溶剤回収装置３０で回収された有機溶剤を貯留する中間タンク２と、中間タンク２の液面を検出する液面センサ３と、中間タンク２に貯留された有機溶剤を移送して貯蔵する貯蔵タンク４と、貯蔵タンク４の液面を検出する液面センサ５と、中間タンク２と貯蔵タンク４との間を接続する配管６と、貯蔵タンク４に貯蔵された有機溶剤を移送して運搬容器に注入する容器注入部７と、貯蔵タンク４から有機溶剤を移送して運搬容器に注入するためのポンプ８と、液面センサ３、５の検出結果に基づいて有機溶剤の貯蔵量を制御する制御装置９と、貯蔵タンク４の液面が指定量の液面になったときに再利用業者４０に連絡する通信装置１０とを備えている。
【００１８】
ここで、本実施形態に係る溶剤貯蔵装置１は、図１に示す有機溶剤を再利用するためのシステムにおいて、溶剤回収装置３０で回収された有機溶剤を再利用業者４０が回収するまでの間貯蔵しておくための装置である。
【００１９】
中間タンク２は、溶剤回収装置３０から流出する有機溶剤を直接受け入れるタンクであり、消防法で定める危険物製造所とみなされない範囲で有機溶剤を貯留する。例えば、消防法では第１石油類の場合２００リットル以上になると、危険物製造所とみなされるので、中間タンク２では２００リットル未満のタンクを使用する。これにより、中間タンク２は少量危険物取扱所とみなされるので、危険物製造所の厳しい基準が適用されずに省スペース及び低コストを実現することができる。また、危険物製造所とみなされない範囲で少量だけ有機溶剤を貯蔵するので、有機溶剤を再利用するシステムを安全に構築することができる。ただし、タンクの容量に応じて防油提を設けなければならないため、中間タンク２の容量は小さいほうが好ましく、例えば２０リットル程度のタンクとすることが好ましい。中間タンク２の容量を２０リットルとすれば、溶剤回収装置３０から流出する有機溶剤の量を考慮しても頻繁に中間タンク２が満タンになってしまうことはなく、また防油提の大きさも大規模にならないので、適度な容量となって好ましい。
【００２０】
液面センサ３は、中間タンク２の液面を検出して、検出した液面の高さを制御装置９に送信する。
【００２１】
貯蔵タンク４は、中間タンク２が指定された液面に達すると、配管６を介して有機溶剤を移送して貯蔵するタンクであり、例えば２０号タンクを使用する。また、貯蔵タンク４は屋内に設置することが好ましく、その理由は貯蔵タンク４を屋外に設置して屋外タンク貯蔵所とみなされた場合には保有空地のほかに敷地内距離など広いスペースが必要になってしまうためである。そこで、貯蔵タンク４を屋内に設置して屋内危険物貯蔵所とみなされることによって、省スペースを実現することができる。
【００２２】
液面センサ５は、貯蔵タンク４の液面を検出して、検出した液面の高さを制御装置９に送信する。
【００２３】
容器注入部７は、設置されているポンプ８を利用して貯蔵タンク４から有機溶剤を移送してドラム缶などの運搬容器に注入する。ここでも中間タンク２と同様に消防法で定める危険物製造所とみなされない範囲で運搬容器に注入するようにして、少量危険物取扱所とみなされるようにする。これにより危険物製造所の厳しい基準が適用されることがなくなり、省スペース及び低コストを実現することができる。また、危険物製造所とみなされない範囲で少量だけ有機溶剤を取り扱うので、有機溶剤を再利用するシステムを安全に構築することができる。
【００２４】
制御装置９は、液面センサ３、５で検出された液面に基づいて中間タンク２及び貯蔵タンク４に貯蔵されている有機溶剤の量を調節する。例えば、中間タンク２に貯留されている有機溶剤の液面が所定の液面に達すると、有機溶剤を貯蔵タンク４に移送し、貯蔵タンク４に貯蔵されている有機溶剤の液面が所定の液面に達すると、ポンプ８を作動させて有機溶剤を運搬容器に注入する。このようにして制御装置９は中間タンク２及び貯蔵タンク４の有機溶剤の量を調節する。また、貯蔵タンク４の液面が指定量の液面になると、制御装置９は再利用業者４０に連絡するために通信装置１０に対して命令を送信する。
【００２５】
通信装置１０は、制御装置９からの命令を受信すると、再利用業者４０による有機溶剤の引き取りを促すために、再利用業者４０に設置された端末にメールや警告を送信する。
【００２６】
［有機溶剤を再利用するシステム］
次に、図１を参照して有機溶剤を再利用するシステムについて説明する。
【００２７】
まず、印刷機２０ではグラビア印刷等によって印刷が行われる。印刷方法としては、グラビア印刷の他にフレキソ印刷、凸版印刷、スクリーン印刷、オフセット印刷などでもよく、ロールコーティング、スプレーコーティング、ディップコーティングなどのコーティング方法を使用してもよい。ここで使用される印刷インキとしては回収して再利用可能な印刷インキが使用され、例えば酢酸エチルやイソプロピルアルコール等を含み、トルエンを含んでいない印刷インキが使用される。
【００２８】
印刷機２０では上述した印刷方法で印刷が行われ、印刷乾燥工程で揮発した有機溶剤を含んだ被処理ガスが発生する。例えば、グラビア印刷の場合、印刷インキを印刷に適した粘度及び濃度にまで希釈溶剤で希釈して各印刷ユニットに供給し、印刷インキを基材に塗布した後、オーブンで溶剤分を揮発させて定着させる。揮発した溶剤分等を含んだ被処理ガスは溶剤回収装置３０に送られる。
【００２９】
溶剤回収装置３０では被処理ガスに含まれている有機溶剤を取り出して回収する。まず印刷機２０から送られてきた被処理ガスは、揮発性有機化合物（ＶＯＣ）を濃縮する濃縮装置３１で６００ｍ３／分から５０ｍ３／分に濃縮され、その後１２０℃から７℃程度に冷却されてから除湿装置３２で除湿される。ここで水分を除去した後に、ハニカム活性炭による吸着と加熱窒素ガスによる脱着工程３３が行われ、酸を中和した後に冷却して液化した有機溶剤を回収する。
【００３０】
次に、溶剤貯蔵装置１では、溶剤回収装置３０で回収された有機溶剤をまず中間タンク２に貯留する。中間タンク２は２００リットル未満で好ましくは２０リットル程度の小型のタンクなので、貯留された有機溶剤は随時または定期的に貯蔵タンク４へ移送される。このとき液面センサ３によって指定された液面に達したことが検出されると、制御装置９が図示していないポンプや弁を作動させることによって、配管６を介して有機溶剤を貯蔵タンク４へ移送する。
【００３１】
貯蔵タンク４では２０号タンクで１トン程度まで貯蔵することができ、液面センサ５によって指定された液面に達したことが検出されると、制御装置９が通信装置１０に対して再利用業者４０に連絡するように命令を送信する。通信装置１０は、制御装置９からの命令を受信すると、再利用業者４０による有機溶剤の引き取りを促すために、再利用業者４０に設置された端末にメールや警告を送信する。また、制御装置９は通信装置１０を介して貯蔵タンク４に貯蔵されている有機溶剤の量を常に再利用業者４０に連絡するようにしてもよく、連絡された再利用業者４０は貯蔵タンク４の貯蔵量に応じて適宜有機溶剤を引き取るようにしてもよい。
【００３２】
こうして貯蔵タンク４に有機溶剤が貯蔵されると、容器注入部７では設置されているポンプ８を利用して貯蔵タンク４から有機溶剤を移送してドラム缶などの運搬容器に注入する。このときオペレーターがポンプ８を作動させてドラム缶などの運搬容器に注入してもよいし、制御装置９が貯蔵タンク４の貯蔵量に応じてポンプ８を作動させて運搬容器に注入してもよい。
【００３３】
次に、有機溶剤の注入された運搬容器は再利用業者４０が随時あるいは定期的に引き取って精製溶剤や他分野の製品を製造するための原料として再利用する。
【００３４】
再利用業者４０は、必要に応じて回収した有機溶剤の溶剤組成を分析した後、必要に応じて回収溶剤に溶剤を追加して成分を調整し、印刷インキ組成物の原料として再利用する。ここで、回収した有機溶剤の溶剤組成を分析する方法としては、ガスクロマトグラフィー測定、液体クロマトグラフィー測定、赤外吸収スペクトル測定、屈折率測定、密度比重測定、導電率測定、核磁気共鳴吸収法および臭気試験を用いた測定方法から選択される少なくとも１種類以上の方法によって行なうことが好ましい。回収した有機溶剤に追加して成分調整を行なうための溶剤は、新溶剤であってもよいし、上記方法によって得られた回収溶剤であってもよい。また新溶剤と回収溶剤の混合溶剤であってもよい。
【００３５】
このように印刷機２０で発生した有機溶剤を回収して再利用するので、ＶＯＣの排出が抑制されて大気汚染を防止することが可能となる。また、従来ではＶＯＣを燃焼させて大気中に排出していたので、有機溶剤を再利用することにより、ＣＯ２の排出も削減することができる。
【００３６】
［実施形態の効果］
以上詳細に説明したように、本実施形態に係る溶剤貯蔵装置１によれば、中間タンク２と容器注入部７を危険物製造所とみなされない範囲で構成したことにより、中間タンク２と容器注入部７は少量危険物取扱所とみなされて危険物製造所の厳しい基準が適用されないので、省スペース及び低コストを実現することができる。さらに、危険物製造所とみなされない範囲で少量だけ有機溶剤を貯蔵するので、安全なシステムを構築することができる。
【００３７】
また、本実施形態に係る溶剤貯蔵装置１によれば、貯蔵タンク４を屋内に設置したことによって貯蔵タンク４が屋内危険物貯蔵所とみなされるので、保有空地や敷地内距離などの広いスペースが必要なくなって省スペースを実現することができる。
【００３８】
さらに、本実施形態に係る溶剤貯蔵装置１によれば、中間タンク２を２００リットル未満のタンクとしたことによって中間タンク２が少量危険物取扱所とみなされるので、危険物製造所の厳しい基準が適用されずに省スペース及び低コストを実現することができる。
【００３９】
また、本実施形態に係る溶剤貯蔵装置１によれば、貯蔵タンク４の液面が指定量の液面になったときに再利用業者４０へ連絡する通信装置１０を備えているので、再利用業者４０が適時有機溶剤を引き取ることによって大量に有機溶剤が貯蔵されることがなくなり、安全なシステムを構築することができる。
【００４０】
なお、上述の実施の形態は本発明の一例である。このため、本発明は、上述の実施の形態に限定されることはなく、この実施の形態以外の形態であっても、本発明に係る技術的思想を逸脱しない範囲であれば、設計などに応じて種々の変更が可能であることは勿論である。
【符号の説明】
【００４１】
１  溶剤貯蔵装置
２  中間タンク
３、５  液面センサ
４  貯蔵タンク
６  配管
７  容器注入部
８  ポンプ
９  制御装置
１０  通信装置
２０  印刷機
３０  溶剤回収装置
４０  再利用業者
【図１】
2012056580.tif 000003